(57)【要約】【課題】照明器具が小型で無駄のない光の照射を可能にしたミラーキャビネットである。【解決手段】ミラーキャビネット６は、３つの収納部９を仕切る中仕切り板１２と、各収納部９の各開口を開閉するミラー扉１０とを備えた三面鏡を有する。隣り合うミラー扉１０の間であって中仕切り板１２の前面に照明器具２２を備えた。照明器具２２は、中仕切り板１２の前面に設けた断面略Ｌ字状のベース部１８が基板１８ａと起立部１８ｂを有し、起立部１８ｂは凹部１８ｃの前面に断面略Ｕ字状の光源保持部１８ｄを形成し、その底部にＬＥＤ光源２０を上下方向に複数配列させた。起立部１８ｂの前面に半透明のカバー部２１を固定させた。起立部１８ｂの両側にミラー扉１０の端部を配設し、ミラー扉１０よりカバー部２１を突出させた。【選択図】図４
2015104551.tif 000002
【特許請求の範囲】
【請求項１】
収納部の開口を開閉するミラー扉と、
隣り合う前記収納部を仕切る仕切り板と、
隣り合う前記ミラー扉の間であって前記仕切り板の前面に設けた照明器具と
を備えたことを特徴とするミラーキャビネット。
【請求項２】
前記照明器具は、前記仕切り板に取り付ける固定部を有するベース部を備えた請求項１に記載されたミラーキャビネット。
【請求項３】
前記照明器具は、該照明器具の光源と、該光源の裏面に凹部または中空部を形成した前記固定部を備えた前記ベース部と、前記光源の前方に設けたカバー部材とを備えた請求項２に記載されたミラーキャビネット。
【請求項４】
前記照明器具は、リモコン操作部によって操作可能とした請求項１から３のいずれか１項に記載されたミラーキャビネット。
【請求項５】
前記照明器具の長手方向の端部には前記リモコン操作部の信号の受信部を設け、前記受信部は前記ミラー扉より前方に突出している請求項４に記載されたミラーキャビネット。
【請求項６】
前記照明器具には、前記照明器具の光の強度を調整可能な調光手段を設けた請求項１から５のいずれか１項に記載されたミラーキャビネット。
【発明の詳細な説明】
【技術分野】
【０００１】
本発明は、収納部を開閉するミラー扉同士の間に照明器具を備えたミラーキャビネットに関する。
【背景技術】
【０００２】
従来、洗面化粧台として、収納部に設けた三面鏡を開閉可能な３枚のミラー扉で形成したミラーキャビネットが知られている。このミラーキャビネットのミラー扉は、複数の収納部の扉にそれぞれ鏡を貼り付けている。このミラーキャビネットでは、スペースを有効活用するためにミラー扉とミラー扉の間に照明器具を設置して、ミラー扉の前に立つ使用者を照明するようにしている。
【０００３】
例えば特許文献１に記載されたミラーキャビネットでは、扉の前面に端部を残して鏡を貼り付け、残った端部には、ＬＥＤをベース部材に装着して前面にカバーを被せた照明装置を端部に沿って固定している。
また、特許文献２に記載されたミラーキャビネットは、ミラー扉で開口を開閉可能な収納部を縦板で仕切った構成を備えており、この縦板は前方に開口を備えて内部に空間を形成した凹部形状、即ち水平断面視コ字状の収納凹所を形成しており、この収納凹所の内部に板状の導光板を収納している。そして、縦板の奥部に光源を設置して、導光板の奥側の面を光源の光の入射面として、収納凹所の開口側における導光板の面を光出射面として、ミラー扉間の隙間に臨ませて、照明器具としている。
【先行技術文献】
【特許文献】
【０００４】
【特許文献１】特許第４５０８０６８号公報
【特許文献２】特開２０１１−１５２２２９号公報
【発明の概要】
【発明が解決しようとする課題】
【０００５】
しかしながら、特許文献１に記載されたミラーキャビネットでは、ミラー扉として専用の照明装置付きミラーを扉に取り付けて製造しなければならず、専用部品が必要であり製造コストが増大する欠点がある。しかも、扉に照明装置をつけるとＬＥＤ等の光源の熱によってカバー板が劣化することがあった。また、照明装置の使用中にミラー扉を開放すると照明装置による光の照射方向が扉と一緒に回動してしまい、望まない方向を照明してしまう不具合が生じる。
【０００６】
また、特許文献２に記載されたミラーキャビネットでは、縦板内に凹部空間を形成するために幅が増大して大型化し、収納部が相対的に狭くなる欠点があった。また、光源を縦板の奥側に設置したり、導光板も対向する光の入射面と出射面との間が長く大型化する上に使用者を照射するまでの照明光路が長くなるために強い照明光が要求される等の欠点があった。
【０００７】
本発明は、このような課題に鑑みてなされたものであって、照明器具が小型で低廉であり、無駄のない光の照射を可能にしたミラーキャビネットを提供することを目的とする。
【課題を解決するための手段】
【０００８】
本発明によるミラーキャビネットは、収納部の開口を開閉するミラー扉と、隣り合う収納部を仕切る仕切り板と、隣り合うミラー扉の間であって仕切り板の前面に設けた照明器具とを備えたことを特徴とする。
本発明によるミラーキャビネットは、照明器具を収納部の仕切り板の前面であって隣り合うミラー扉の間に設置できるため、照明器具が小型であると共に、ミラー扉の開閉に関わらず照射方向をキャビネットの前面で向き合う使用者に特定できる。そのため、専用品の照明装置付きミラーを製作する必要がなく、ミラー扉を開閉操作しても照射方向が変化しない上に、仕切り板も例えば標準タイプのものを用いる等できて部品の共通化を図ることができる。
【０００９】
また、照明器具は、仕切り板に取り付ける固定部を有するベース部を備えていてもよい。固定部によってべ―ス部を仕切り板に取り付けることができる。
また、照明器具は、該照明器具の光源と、該光源の裏面に凹部または中空部を形成した固定部を備えたベース部と、光源の前方に設けたカバー部材とを備えたことが好ましい。
ベース部の光源の裏面に凹部または中空部を形成することで光源の点灯による熱を放散することができるため、熱による収納部やミラー扉の変形や劣化等を抑制できる。しかも、照明器具を仕切り板の前面で、隣り合うミラー扉の間に設置できるので、ミラーキャビネットの外観上の見栄えがよい。
【００１０】
また、照明器具は、リモコン操作部によって操作可能としてもよい。
リモコン操作部をミラーキャビネットと別に設けることができるため、使い勝手が良く照明器具を遠隔操作できるので便利である。
【００１１】
また、照明器具の長手方向の端部にはリモコン操作部の信号の受信部を設け、受信部はミラー扉より前方に突出していてもよい。
リモコン操作部の受信部を照明器具の端部でミラー扉より突出させることで、リモコン操作部の信号を容易且つ確実に受信して照明器具を作動することができる。
【００１２】
また、照明器具には、照明器具の光の強度を調整可能な調光手段を設けてもよい。
調光手段によって照明器具の照射光の強さを調整することができるので、ミラーキャビネットの前に立つ使用者に応じて、また必要性によって光の強度を増減調整することができる。
【発明の効果】
【００１３】
本発明によるミラーキャビネットによれば、照明器具を収納部の仕切り板の前面で隣り合うミラー扉の間に設置できるため、照明器具が小型で低廉であり、ミラー扉の開閉に関わらず照射方向をキャビネットに対向する領域に特定できる。そのため、専用品の照明装置付きミラー等を製作する必要がなく、ミラー扉を開閉操作しても照射方向が変化しない上に、仕切り板も例えば共通タイプのものを用いる等して標準化ができる。
【図面の簡単な説明】
【００１４】
【図１】本発明の実施形態によるミラーキャビネット付き洗面化粧台の斜視図である。
【図２】図１に示すミラーキャビネットを示す図であり、（ａ）は正面図、（ｂ）は平面図、（ｃ）は底面図である。
【図３】図２に示すミラーキャビネットのＡ−Ａ線水平断面図である。
【図４】図３におけるミラー扉の間の照明器具を示すＢ部拡大断面の斜視図である。
【図５】ミラーキャビネットの分解斜視図である。
【発明を実施するための形態】
【００１５】
以下、本発明の実施形態による洗面化粧台に設けたミラーキャビネットについて図１乃至図５に基づいて説明する。
図１に示す本実施形態による洗面化粧台１は洗面所等に設置するものである。この洗面化粧台１は、下部の洗面台２の上面に水栓３とハンドル４を備えた洗面ボウル５が設けられ、洗面ボウル５の上部には支持部を介して多面鏡のミラーキャビネット６が設置されている。ミラーキャビネット６は、図１〜図３、図５に示すように、キャビネット本体８内にそれぞれ収納空間を備えた複数、例えば３つの収納部９が形成され、各収納部９の開口には開口を開閉する三面のミラー扉１０が取り付けられている。
【００１６】
ミラーキャビネット６の各収納部９は、図３に示すように収納空間の比較的大きい中央の収納部９ａと、その両側の収納部９ｂ、９ｃとが、中仕切り板１２によって収納空間を仕切られている。各ミラー扉１０は扉板１３の表面にミラー１４が貼り付けられて形成され、比較的幅広の中央のミラー扉１０ａとその両側のミラー扉１０ｂ、１０ｃとを有している。
図３において、中央のミラー扉１０ａはその右側端部でインセットタイプのスライド蝶番１５が中仕切り板１２との間で連結されており、両端部が中仕切り板１２に設けたベース部１８内に収まっている。左右両側のミラー扉１０ｂ、１０ｃはその右側端部と左側端部でアウトセットタイプのスライド蝶番１６が中仕切り板１２との間で連結されており、各ミラー扉１０ｂ、１０ｃの他端部はキャビネット本体８の外側の側板１１の前側に設置されている。そのため、本実施形態では、中央と左側のミラー扉１０ａ、１０ｂが左開きであり、右側のミラー扉１０ｃが右開きとなっている。
【００１７】
また、図３及び図４に示す中仕切り板１２は平板板状でキャビネット本体８の上下方向に延びており、その前面側に水平断面視略Ｌ字状のベース部１８が取り付けられている。ベース部１８は金属製、例えば熱伝導の良いアルミ合金からなり、中仕切り板１２の前面に固定されていて一部に凹部１８ｃを形成した基板１８ａと基板１８ａの凹部１８ｃから前面側に起立する小幅の起立部１８ｂとで形成され、起立部１８ｂには凹部１８ｃと反対側に断面視略Ｕ字状で底部に照明器具として例えばＬＥＤ光源２０を固定する光源保持部１８ｄが設けられている。基板１８ａの一端部に爪部１８ｅを形成することで、ベース部１８を中仕切り板１２に取り付ける際の位置決めにすることができる。
なお、ベース部１８において、基板１８ａに凹部１８ｃに代えて断面略四角筒形状の中空部を形成してもよく、いずれの場合もＬＥＤ光源２０の放熱に寄与する。
【００１８】
光源保持部１８ｄの底部にはその上下方向に沿って複数のＬＥＤ光源２０が所定間隔で取り付けられている。そして、光源保持部１８ｄの前端開口には、例えば合成樹脂製のカバー部材２１が嵌合されている。カバー部材２１は例えばポリカーボネート等の半透明の樹脂製で内部に拡散材を分散させており、複数のＬＥＤ光源２０からの光を、光源を視認できない程度に拡散させて前方に放射させることが好ましい。
そして、ベース部１８における起立部１８ｂの両側部には、両側のミラー扉１０の端部が対向して配設されている。各ミラー扉１０よりもカバー部材２１が突出して配設されており、これによって、照明光が斜め方向にも進行し易くなり、各ミラー扉１０の中央にも光が照射され易い。或いは、意匠性を考慮して各ミラー扉１０とカバー部材２１は表面が面一に配設されていてもよい。
【００１９】
なお、ベース部１８とＬＥＤ光源２０とカバー部材２１とで照明器具２２を構成する。本実施形態では、照明器具２２は、中央のミラー扉１０ａと左側のミラー扉１０ｂとの間で中仕切り板１２の前面と、中央のミラー扉１０ａと右側のミラー扉１０ｃとの間で中仕切り板１２の前面と、にそれぞれ設置されている。しかも、図３に示すように、キャビネット本体の２つの中仕切り板１２に設けた各ベース部１８と照明器具２２は対称な位置に配置したが、非対称に配置してもよい。
【００２０】
そして、図５において、ミラーキャビネット６の中央の収納部９ａ内には、例えば天板にＬＥＤ光源２０に電流を供給すると共にその明るさを強弱に調整する調光手段(図示せず)を備えた電気回路基板２３が設置されている。この電気回路基板２３はミラー扉１０ａを開けた際に直接視認できないようにカバー２４によって被覆されている。
【００２１】
また、図１において、洗面化粧台１の例えば側部に設けた側壁２５にはＬＥＤ光源２０の点灯操作をするための赤外線や超音波信号等の各種信号を発信するリモコン操作部２６が取り付けられている。このリモコン操作部２６は、例えばＬＥＤ光源２０の点灯スイッチ２７と消灯スイッチ２８を備え、そして点灯スイッチ２７の押圧回数や押圧時間の長短によってＬＥＤ光源２０の光の強さを強・中・弱に切り替え可能とされている。或いは、点灯スイッチ２７とは別にＬＥＤ光源２０の光の強度を低減する調節スイッチをリモコン操作部２６に設けてもよい。なお、リモコン操作部２６は必ずしも側壁２５等に固定する必要はなく、取り外し可能にして洗面ボウル５等に載置していてもよい。
【００２２】
そして、ミラーキャビネット６における中仕切り板１２に取り付けた照明器具２２の例えば上端部には、リモコン操作部２６から発信された信号を受信する受信部３０が取り付けられている。受信部３０は照明器具２２の両側にミラー扉１０ａ、１０ｃが設置されているため、信号の受信感度を良くするためにカバー部材２１やミラー扉１０より前方に突出していることが好ましい。
受信部３０で受信した信号は電気配線を介して中央の収納部９ａ内に固定された電気回路基板２３に送信されており、電気回路基板２３から電気配線を通して両側の各照明器具２２のＬＥＤ光源２０に制御信号を出力するようになっている。
【００２３】
本実施形態による洗面化粧台１のミラーキャビネット６は上述の構成を備えているから、ミラーキャビネット６を使用する場合には、洗面化粧台１の前面に立つ使用者が側壁２５に設置したリモコン操作部２６の点灯スイッチ２７を押すと、発信信号がミラーキャビネット６の受信部３０で受信される。そして、電気回路基板２３を介して、隣り合うミラー扉１０ａ、１０ｂと１０ａ、１０ｃの間で中仕切り板１２の前面に設けた各照明器具２２のＬＥＤ光源２０を点灯させる。
これによって、使用者は照明器具２２で明るく照射された自らの顔や上半身をミラー扉１０ａ、１０ｂ、１０ｃで観察することができる。
【００２４】
なお、ミラー扉１０ａ、１０ｂ、１０ｃを開けたとしても照明器具２２の照明方向は変化せず、継続して照明することができる。また、照明の強度が高い場合にはリモコン操作部２６の操作によって照明強度を低減させたりすることができる。
また、ＬＥＤ光源２０による点灯状態において、ＬＥＤ光源２０の裏面にはベース部１８の凹部１８ｃが設けてあるから、金属製のベース部１８を通して熱を逃がすことができてキャビネット本体８やミラー扉１０を熱で劣化させることを防止できる。
【００２５】
また、照明器具２２を取り付ける中仕切り板１２の前面のベース部１８において、図３及び図４に示すように、基板１８ａの一部に起立部１８ｂを形成し、基板１８ａの残りの部分にベース部１８を中仕切り板１２に固定するビス等を取り付けたが、その前側にインセットタイプのスライド蝶番１５で固定した中央のミラー扉１０ａをインセット蝶番１５でスライド移動して開閉可能とした。そのため、他方の基板１８ａのビス止め部分は目視可能でも、吊元部分のベース部１８の基板１８ａのビス止め部は開閉位置に関わらずミラー扉１０ａによって遮蔽され、外部から目視確認ができないので見栄えがよい。
【００２６】
上述のように本実施形態による洗面化粧台１のミラーキャビネット６によれば、隣り合うミラー扉１０の間で中仕切り板１２の前面に照明器具２２を設置したため、従来の照明装置のようにミラー扉１０の端部や中仕切り板１２の内部に照明器具２２を設置したりしないから、照明器具２２が大きなスペースをとることがなく、専用部品を用いず部品を共通化できるため、簡単且つ低廉に照明器具２２を取り付けることができる。
また、照明器具２２は、金属製のベース部１８におけるＬＥＤ光源２０の配列位置の裏面側に凹部１８ｃを設けてＬＥＤ光源２０の熱を逃がすようにしたため、ミラー扉１０や中仕切り板１２等が熱で変形したり損傷したりすることを抑制できる。
【００２７】
また、照明器具２２をリモコン操作部２６で操作するようにしたから、従来のようにミラーキャビネット６におけるミラー扉１０の下側に点灯スイッチを設ける必要がなく、任意の位置で操作できる。しかも、照明器具２２のＬＥＤ光源２０の明るさをリモコン操作部２６と調光手段によって切り換えできるため、使用者の必要に応じて明るさを調整できる。
更にリモコン操作部２６の信号を受信する受信部３０を照明器具２２の上部でミラー扉１０から突出させて設置できるため、リモコン操作部２６からの発信信号を確実に受信できる。
【００２８】
なお、本発明によるミラーキャビネット６は、上述した実施形態に限定されるものではなく、本発明の要旨を逸脱しない範囲で適宜の変更や置換等が可能である。
例えば、上述した実施形態において、照明器具２２の光源としてＬＥＤ光源２０を用いたが、光源はＬＥＤ光源２０に限定されるものではなく、蛍光灯や白熱灯、或いは陰極線管等、適宜の光源を採用することができる。
また、ミラーキャビネット６を洗面化粧台１の上部に設置したが、これに限定されるものではなく、ミラーキャビネット６自体を壁面に取り付けて構成してもよく、適宜の位置に取り付けることができる。
【００２９】
また、各ミラー扉１０、１０ａ、１０ｂ、１０ｃを開閉可能に支持する蝶番をインセットタイプとアウトセットタイプのスライド蝶番１５、１６で構成したが、各ミラー扉１０の中仕切り板１２への取り付けはいずれの蝶番で取り付けてもよく、また、スライド蝶番以外に平蝶番等の各種の蝶番を用いてもよい。また、各ミラー扉１０において蝶番の取り付け位置や開閉方向は左右いずれでもよい。
また、照明器具２２はミラー扉１０間の中仕切り板１２上だけでなく、キャビネット本体８の両外側の側板１１上にも設けてもよい。この場合、両側のミラー扉１０ｂ、１０ｃの端部は照明器具２２の内側に設置する。
【００３０】
なお、上述した実施形態ではミラーキャビネット６として三面鏡について説明したが、三面のミラー扉１０に限定されることなく、二面鏡、四面鏡や五面鏡等、適宜の多面鏡を本発明のミラーキャビネットに採用できる。
【符号の説明】
【００３１】
１  洗面化粧台
６  ミラーキャビネット
８  キャビネット本体
９，９ａ，９ｂ，９ｃ  収納部
１０，１０ａ、１０ｂ、１０ｃ  ミラー扉
１２  中仕切り板
１５、１６  スライド蝶番
１８  ベース部
１８ａ  基板
１８ｂ  起立部
１８ｃ  凹部
１８ｄ  光源保持部
２０  ＬＥＤ光源
２１  カバー部材
２２  照明器具
２３  電気回路基板
２６  リモコン操作部
３０  受信部
【図１】
2015104551.tif 000003
【図２】
2015104551.tif 000004
【図３】
2015104551.tif 000005
【図４】
2015104551.tif 000006
【図５】
2015104551.tif 000007